(57)【要約】【課題】  蓋体の外部に取り出し用具を収納する収納部を備える蓋付き薄肉容器を創出することを課題とする。【解決手段】  内容物を収容する容器本体１０と、容器本体１０の開口端１１に装着される蓋体２０とを備えた蓋付き薄肉容器であって、蓋体２０上には載置部２５が設けられ、容器本体１０と蓋体２０のいずれか一方には第１ヒンジＨ１を介して回動自在に連結されたカバー部３０が設けられており、蓋体２０上に、第１ヒンジＨ１を介して回動させたカバー部３０によって載置部２５の全部又は一部を覆う収納部２７が設けられる構成とする。【選択図】  図１
2019189326.tif 000002
【特許請求の範囲】
【請求項１】
内容物を収容する容器本体（１０）と、該容器本体（１０）の開口端（１１）に装着される蓋体（２０）とを備えた蓋付き薄肉容器であって、
前記蓋体（２０）上には載置部（２５）が設けられ、前記容器本体（１０）と前記蓋体（２０）のいずれか一方には第１ヒンジ（Ｈ１）を介して回動自在に連結されたカバー部（３０）が設けられており、
前記蓋体（２０）上に、前記第１ヒンジ（Ｈ１）を介して回動させたカバー部（３０）によって前記載置部（２５）の全部又は一部を覆う収納部（２７）が設けられていることを特徴とする蓋付き薄肉容器。
【請求項２】
載置部（２５）は蓋体（２０）の頂壁に陥没状に設けられた頂壁凹部（２２）によって形成されている請求項１記載の蓋付き薄肉容器。
【請求項３】
載置部（２５）は短手方向に一定の幅寸法を有して長手方向に延びる平面視略長方形状に形成されており、収納部（２７）は少なくとも前記長手方向の一端部が閉塞されている請求項１又は２に記載の蓋付き薄肉容器。
【請求項４】
載置部（２５）は短手方向に一定の幅寸法を有して長手方向に延びる平面視略長方形状に形成されており、収納部（２７）は前記長手方向において前記載置部（２５）の全長に渡って形成されている請求項１乃至３のいずれか一項に記載の蓋付き薄肉容器。
【請求項５】
カバー部（３０）が第１ヒンジ（Ｈ１）を介して、容器本体（２０）の開口端（１１）に装着される装着部を備える蓋体（２０）に連結されており、
前記装着部が、前記蓋体（２０）に形成された嵌合部（２４）及び載置部（２５）からなる構成、又は蓋体（２０）と容器本体（１０）とを連結する第２ヒンジ（Ｈ２）及び前記載置部（２５）からなる構成を含む請求項１乃至４のいずれか一項に記載の蓋付き薄肉容器。
【請求項６】
カバー部（３０）が第１ヒンジ（Ｈ１）を介して容器本体（１０）に連結されると共に、蓋体（２０）が前記第１ヒンジ（Ｈ１）を介して前記容器本体（１０）に装着可能とされている請求項１乃至４のいずれか一項に記載の蓋付き薄肉容器。
【発明の詳細な説明】
【技術分野】
【０００１】
本発明は、例えば内容物を取り出すための取り出し用具等を収納する収納部を備える蓋付き薄肉容器に関する。
【背景技術】
【０００２】
以下の特許文献１には、バター、マーガリン又はクリームチーズ等の食品を収容可能な容器が開示されている。
特許文献１に記載の容器は、容器本体１１と蓋体１２の少なくとも一方に、揺動自在に一体連結されると共に引き起こしにより容器の吊り下げを可能とする吊下げ部３を備える構成とすることにより、冷蔵庫の収納部内のデットスペースを有効活用できるようにしたというものである。
【先行技術文献】
【特許文献】
【０００３】
【特許文献１】特開２０１７−８１６３４号公報
【発明の概要】
【発明が解決しようとする課題】
【０００４】
ところで、バター、マーガリン又はクリームチーズ等の内容物を収容する容器においては、内容物を取り扱うためのバターナイフ等の取り出し用具を備えることが要望されている。
しかし、そのような取り出し用具を備えるには、内容物の上に取り出し用具を載せるなどして、容器内に内容物と一緒に収納する必要があることから、購入直後のように多くの内容物が容器内に残っているような場合には取り出し用具を収納することが困難となる場合があった。
また取り出し用具を内容物と一緒に容器内に収納する場合には、取り出し用具の柄の部分に食品が付着して滑りやすくなるという問題、あるいは手に付着した内容物が再び取り出し用具に付着する虞があることなどから非衛生的になりやすいという問題があった。
本発明は、上記した従来技術における問題点を解消すべく、蓋体の外部に取り出し用具を収納する収納部を備える蓋付き薄肉容器を創出することを課題とする。
【課題を解決するための手段】
【０００５】
上記課題を解決するための手段のうち、本発明の主たる手段は、
内容物を収容する容器本体と、容器本体の開口端に装着される蓋体とを備えた蓋付き薄肉容器であって、
蓋体上には所定の空き領域からなる載置部が設けられ、容器本体と蓋体のいずれか一方には第１ヒンジを介して回動自在に連結されたカバー部が設けられており、
蓋体上に、第１ヒンジを介して回動させたカバー部によって載置部の全部又は一部を覆う収納部が設けられていることを特徴とすると云うものである。
本発明の主たる手段では、容器本体又は蓋体に連結されたカバー部を蓋体上の載置部において回動させるだけで、簡単に蓋体上に収納部を形成することができる。
【０００６】
また本発明の他の手段は、本発明の主たる手段に、載置部は蓋体の頂壁に陥没状に設けられた頂壁凹部によって形成されている、との手段を加えたものである。
上記手段では、収納部を断面凸状のカバー部と頂壁凹部によって形成することにより、多少大きめの取り付け用具であっても収納部で収納することが可能となる。
【０００７】
また本発明の他の手段は、上記いずれかの手段に、載置部は短手方向に一定の幅寸法を有して長手方向に延びる平面視略長方形状に形成されており、収納部は少なくとも長手方向の一端部が閉塞されている、との手段を加えたものである。
上記手段では、両端部が閉塞される態様では取り付け用具を収納部内に完全に収納することで取り付け用具の脱落を防止することができる。またいずれか一方の端部が閉塞される態様では取り付け用具を他方の開放部を通じて収納部内に収納することができるため、取り付け用具の出し入れを容易とすることができる。
【０００８】
また本発明の他の手段は、上記いずれかの手段に、載置部は短手方向に一定の幅寸法を有して長手方向に延びる平面視略長方形状に形成されており、収納部は長手方向において載置部の全長に渡って形成されている、との手段を加えたものである。
上記手段では、蓋体の全長を収納部とすることができるため、多少長めの取り付け用具であっても収納部内に収納することが可能となる。
【０００９】
また本発明の他の手段は、上記いずれかの手段に、カバー部が第１ヒンジを介して、容器本体の開口端に装着される装着部を備える蓋体に連結されており、
装着部が、蓋体に形成された嵌合部及び載置部からなる構成、又は蓋体と容器本体とを連結する第２ヒンジ及び載置部からなる構成を含む、との手段を加えたものである。
上記手段では、カバー部が第１ヒンジを介して蓋体に連結される構成において、第１ヒンジを介して蓋体が開閉する構成としてもよいし、または蓋体と容器本体とを第２ヒンジを介して連結するものとし、この第２ヒンジを介して蓋体が開閉する構成としもよく、いずれの構成においても容器本体への蓋体の装着を達成し得る。
【００１０】
また本発明の他の手段は、上記いずれかの手段に、カバー部が第１ヒンジを介して容器本体に連結されると共に、蓋体が第１ヒンジを介して容器本体に装着可能とされている、との手段を加えたものである。
上記手段では、容器本体と蓋体とを一体に形成した場合と、別体に形成した場合のいずれにおいいても容器本体への蓋体の装着を達成し得る。
【発明の効果】
【００１１】
本発明は、上記した構成となっているので、以下に示す効果を奏する。
本発明の蓋付き薄肉容器では、取り出し用具を収納する収納部を簡単な構成で構築することができる。
また収納部を蓋体上部に設けることにより、取り出し用具が容器内に保管されることがなくなるので、取り出し用具への内容物の付着を防止すると共に衛生面を改善することができる。
【図面の簡単な説明】
【００１２】
【図１】本発明の第１実施例としての蓋付き薄肉容器を示す斜視図である。
【図２】カバー部を展開させた状態を示す図１の分解斜視図である。
【図３】図１のＩＩＩ−ＩＩＩ線における縦断面図である。
【図４】本発明の第２実施例としての蓋付き薄肉容器を示す斜視図である。
【図５】カバー部を展開させた状態を示す図４の分解斜視図である。
【図６】図４のＶＩ−ＶＩ線における縦断面図である。
【図７】本発明の第３実施例としてカバー部を展開させた状態を示す蓋付き薄肉容器の斜視図である。
【図８】カバー部を係止させた状態を示す図７のＶＩＩＩ−ＶＩＩＩ線における縦断面図である。
【図９】本発明の第４実施例としてカバー部を展開させた状態を示す蓋付き薄肉容器の斜視図である。
【図１０】カバー部を係止させた状態を示す図９のＩＸ−ＩＸ線における縦断面図である。
【発明を実施するための形態】
【００１３】
以下、本発明の実施の形態について図面を参照しつつ説明する。
本発明の蓋付き薄肉容器は、例えばバター、マーガリン、ピーナッツバター、クリームチーズ等の食品、又は粉末状や粒状の調味料、あるいは粉末状の洗剤等（以下、内容物という）等に好適に利用される容器であり、例えば合成樹脂製の薄いシートを加熱軟化させ後、シートと金型との空間を真空状態にして金型に密着させることにより成形されるものである（シート成形）が、薄肉のインジェクション成形等その他の方法で成形されるものであっても良い。
尚、以下においては略直方体形状からなる蓋付き容器の長辺に沿う図示横方向を長手方向とし、短辺に沿う図示縦方向を短手方向として説明する。
【００１４】
最初に、本発明の第１実施例について図１乃至３を参照しつつ説明する。
本発明の第１実施例として示す蓋付き薄肉容器は、内容物を収容する容器本体１０と、この容器本体１０の上部開口端１１に嵌合的に装着されて容器本体１０を閉蓋状態に設定可能な蓋体２０とを有して構成されている。
容器本体１０は略直方体からなる有底箱型の容器であり、長辺側側壁１１Ａと短辺側側壁１１Ｂで囲まれて平面視略長方形状に形成された開口端１１の外縁部には略水平に延設されて成る容器側フランジ１２が周設されている。また一方の長辺側側壁１１Ａ（図１乃至図３では右側）の上端部には、容器側フランジ１２の先を断面略Ｕ字形状に折り曲げることにより形成される第１ヒンジＨ１が形成され、さらにこの第１ヒンジＨ１の先にはカバー部３０が連設されている。
【００１５】
図３に示すように、カバー部３０は、第１ヒンジＨ１から下方に向かって断面略Ｕ字状に屈曲形成された屈曲嵌合部３０ａと、この屈曲嵌合部３０ａから上方に向かって形成されたカバー右壁３１と、このカバー右壁３１の上端から水に形成されたカバー水平部３２と、長手方向の端部（本実施例では奥部側の端部）に設けられたカバー端部壁３４とを有して形成されおり、この第１実施例では奥側のカバー端部壁３４と対向する手前側は壁部を有さない開放部３５となっている。またカバー左壁３３の先端には断面略Ｖ字形状に折り曲げられて成る接地部３６が形成され、その接地部３６の先端には係合部３７が連設されている。
【００１６】
蓋体２０は、開口端１１と同じ平面視略長方形に形成され、その外縁には容器側フランジ１２の上に載置される蓋側フランジ２１が周設されている。蓋側フランジ２１の内側には下方に向かって陥没状に形成された頂壁凹部２２が設けられており、この頂壁凹部２２内の図示左寄りの位置には上方に向かって断面凸状に形成されて成る頂壁凸部２３が形成されている。頂壁凹部２２と頂壁凸部２３とは共に蓋体２０の頂壁を形成している。
【００１７】
蓋体２０の頂壁凹部２２には嵌合部２４及び載置部２５が設けられている。すなわち、頂壁凹部２２のうち、図示左側の蓋側フランジ２１と頂壁凸部２３との間に嵌合部２４が設けられ、頂壁凸部２３と図示右側の蓋側フランジ２１と間に載置部２５が設けられている。
嵌合部２４は頂壁凹部２２の内壁２２ａと頂壁凸部２３を形成する頂部側壁２３ａとによって断面凹状に形成され、載置部２５は頂壁凸部２３を形成する頂部側壁２３ａと頂壁凹部２２の内壁２２ａとによって断面凹状に形成されている。嵌合部２４が図示左端側の内壁２２ａが長辺側側壁１１Ａの図示左側の上端に係合し、載置部２５が図示右端側の内壁２２ａが長辺側側壁１１Ａの図示右側の上端に係合することにとり、蓋体２０は容器本体１０の開口端１１に嵌合可能に設けられている。このように載置部２５は嵌合部２４同様の嵌合部としての機能を備えており、蓋体２０に設けられた嵌合部２４及び載置部２５は装着部を構成している。
【００１８】
また載置部２５は短手方向に一定の幅寸法を有して長手方向に延びる平面視略長方形状を有して形成されている。すなわち載置部２５は、短手方向は頂壁凹部２２の図示右側の内壁２２ａと頂壁凸部２３を形成する図示左側の頂部側壁２３ａとの間に挟まれ、且つ長手方向は手前側の内壁２２ａと奥側の内壁２２ａとの間に挟まれる平面視略長方形状の領域として形成されている。
また頂壁凸部２３を形成する右側の頂部側壁２３ａの表面には、長手方向に所定の長さを有して形成される複数（本実施例では３ヶ）の係止凸部２６が長手方向に間欠的に突設されている。
【００１９】
蓋体２０を容器本体１０の開口端１１に装着すると、図３に示すように蓋側フランジ２１が容器側フランジ１２上に載置されると共に、図示左端では嵌合部２４が容器本体１０の左側の長辺側側壁１１Ａの上端（開口端１１）に係合し、図示右端では載置部２５が容器本体１０の右側の長辺側側壁１１Ａの上端（開口端１１）に係合することより、蓋体２０が容器本体１０に嵌合する。次に、カバー部３０を、破線の展開位置から実線の係止位置まで第１ヒンジＨ１を中心に図示反時計回りに回動させる。そして、カバー部３０の接地部３６を載置部２５に当接させると共に係止凸部２６の下部に係合部３７の端部を係合させ、載置部２５と係止凸部２６の間に係合部３７を挟み込んで係止状態を保持させる。この係止状態では、カバー部３０側の屈曲嵌合部３０ａと係合部３７が、載置部２５側の頂壁凹部２２の内壁２２ａと頂部側壁２３ａとの間に夫々係合し、カバー部３０が載置部２５内に嵌合する状態に設定される。これにより、蓋体２０上に、第１ヒンジＨ１を介して回動させたカバー部３０によって載置部２５を覆う収納部２７を形成することができる。
【００２０】
収納部２７は長手方向に延びる載置部２５の全長に渡って形成されている。収納部２７の奥部はカバー端部壁３４によって閉塞され、手前側は壁部を有さないことから開放部３５となっている。したがって、図示しない取り出し用具をこの開放部３５を通じて挿入することにより、収納部２７内において保管することが可能となる。
【００２１】
また奥部側を持ち上げて蓋付き薄肉容器の全体を傾けることにより、収納部２７内から開放部３５を介してバターナイフ等の取り出し用具を取り出すことができる。あるいは、係合部３７の端部と係止凸部２６の下部と係合を解いて係止状態を解除し、さらにカバー部３０を図示時計回りに回動させて展開状態にすることによって取り出し用具を取り出しても良い。
またこのようにカバー部３０を展開状態とすることにより、収納部２７を形成するカバー部３０の裏面と載置部２５とを露出させることができる。
【００２２】
尚、第１ヒンジＨ１を中心にカバー部３０を図示反時計回りに回動させて係止状態にすると、カバー部３０側の屈曲嵌合部３０ａと載置部２５側の頂壁凹部２２の内壁２２ａとが嵌合すると同時に、第１ヒンジＨ１によって蓋側フランジ２１を上下両方向から離脱不能に挟持する。よって、図１に破線で示すように、第１ヒンジＨ１とは逆側に設けられた摘み部１８を上下に操作することにより、第１ヒンジＨ１を中心に蓋体２０を開閉操作することも可能である。
このように、第１実施例では、簡単な構成で収納部２７を備える蓋付き薄肉容器を構築することができ、またカバー部３０を回動させて係止状態にすることで、簡単に蓋体２０上に収納部２７を構築することができる。
【００２３】
次に、本発明の第２実施例について図４乃至６を参照しつつ説明する。
第２実施例に示す蓋付き薄肉容器が、上記第１実施例と異なる点は収納部２７を形成するカバー部３０の構成にある。よって、以下においては主に上記第１実施例と異なる点について説明する。
図４及び図５に示すように、第２実施例に示す蓋付き薄肉容器では、カバー部３０が蓋体２０側に設けられており、その他の構成及び効果は上記第１実施例と同様である。
より詳しくは、カバー部３０は、蓋体２０を構成する蓋側フランジ２１のうち、一方の長辺（図４乃至図６では右側の長辺）側の蓋側フランジ２１の先端に連設された第１ヒンジＨ１を介して開閉自在に連結されている。
【００２４】
第２実施例において、第１実施例同様に、第１ヒンジＨ１を中心にカバー部３０を図示反時計回りに回動させ、載置部２５と係止凸部２６の間に係合部３７を挟み込んで係止状態とすることにより収納部２７を形成することができる。よって、取り出し用具を開放部３５から挿入することにより、収納部２７内において保管することが可能である。
また第２実施例では、収納部２７の長手方向の全長が短くなるようにカバー部３０の手前側（開放部３５側）を部分的にカットし、載置部２５がより多く露出するように構成されている。このため、第２実施例に示す蓋付き薄肉容器では、収納部２７の外に取り出し用具の柄を部分的に露出させることができるため、取り出し用具が収納部２７内に収納されているか否かを、視覚を通じて容易に把握することが可能である。
このように、第２実施例においても、簡単な構成で収納部２７を備える蓋付き薄肉容器を構築することができ、またカバー部３０を回動させて係止状態にすることで、簡単に蓋体２０上に収納部２７を構築することができる。
【００２５】
次に、本発明の第３実施例について図７、及び図８を参照しつつ説明する。
第３実施例に示す蓋付き薄肉容器は第１実施例の変形例に相当するものであり、容器本体１０と蓋体２０とが一体成形されている点及び載置部２５を構成する図示右端側の内壁２２ａが長辺側側壁１１Ａの図示右側の上端に係合しない構成とした点が上記第１実施例と異なる点であり、その他の構成及効果は上記第１実施例同様である。よって、以下においては主に上記第１実施例と異なる点について説明する。
図７及び図８に示す第３実施例の蓋付き薄肉容器では、開口端１１を挟んで対向する第１ヒンジＨ１と逆側となる他方の長辺（図示左端側の長辺）側において、容器側フランジ１２と蓋側フランジ２１とが連設され、この連設部分に第２ヒンジＨ２が形成されている。
第３実施例に示す蓋付き薄肉容器では、図示右側において容器本体１０とカバー部３０とが第１ヒンジＨ１を介して連結され、図示左側において容器本体１０と蓋体２０とが第２ヒンジＨ２を介して連結される構成であるため、容器本体１０、蓋体２０及びカバー部３０を一体成形することができ、これにより製造コストを安価にできると共に簡単な構成で収納部２７を備える蓋付き薄肉容器を構築することができる。
【００２６】
次に、本発明の第４実施例について図９、及び図１０を参照しつつ説明する。
第４実施例に示す蓋付き薄肉容器は第２実施例の変形例に相当するものであり、容器本体１０と蓋体２０とが一体成形されている点が上記第２実施例と異なる点であり、その他の構成及効果は上記第２実施例同様である。よって、以下においては主に上記第２実施例と異なる点について説明する。
図９及び図１０に示す第４実施例の蓋付き薄肉容器では、開口端１１を挟んで第１ヒンジＨ１と逆側となる他方の長辺（図示左端側の長辺）側において、容器側フランジ１２と蓋側フランジ２１とが連設され、この連設部分に第２ヒンジＨ２が形成されている。
第４実施例に示す蓋付き薄肉容器では、図示右側において蓋体２０とカバー部３０とが第１ヒンジＨ１を介して連結され、図示左側において蓋体２０と容器本体１０とが第２ヒンジＨ２を介して連結される構成とすることにより、容器本体１０、蓋体２０及びカバー部３０を一体成形することができる。よって、上記同様に製造コストを安価にできると共に簡単な構成で収納部２７を備える蓋付き薄肉容器を構築することができる。
【００２７】
以上、実施例に沿って本発明の構成とその作用効果について説明したが、本発明の実施の形態は上記実施例に限定されるものではない。
例えば、上記第１乃至第４実施例では、収納部２７の一端のみに開放部３５を設ける構成を示して説明したが、開放部３５を有さず、すなわち手前側にも奥側のカバー端部壁３４同様の壁部を形成することによりカバー部３０の長手方向の両端を閉塞して収納部２７全体が覆われる構成としても良い。この場合における取り出し用具の収納及びその取り出しは、第１ヒンジＨ１を中心にカバー部３０を回動操作して収納部２７を開閉させることで可能となる。またカバー部３０を構成するいずれかの壁面（例えばカバー水平部３２）に少なくとも一つ以上の貫通孔（のぞき穴）を形成しておくと、内部の様子を容易に把握することができる点で好ましい。尚、このような貫通孔は載置部２５の全体を覆うカバー部３０のみならず、載置部２５を部分的に覆うカバー部３０に形成されていても良い。
【００２８】
また上記第１実施例では、載置部２５において、図示右端側の内壁２２ａが長辺側側壁１１Ａの図示右側の上端に係合する構成を示して説明したが、係合しない構成としても良い。
【００２９】
また上記第３及び第４実施例では、蓋体２０に嵌合部２４が設けられた構成を示して説明したが、これらの実施例では嵌合部２４が設けられていない構成としても良く、この場合第２ヒンジ部Ｈ２が蓋体２０を容器本体１０の開口端１１に装着する装着部として機能することになる。
【００３０】
また上記第１乃至第４実施例に示した収納部２７内に収納される取り出し用具の例としてバターナイフを示して説明したが、本発明はこれに限られるものではなく、その他スプーン、スパチュラなどヘラ状の用具、あるいは刷毛等どのような取り出し用具であっても良い。
【産業上の利用可能性】
【００３１】
本発明の蓋付き薄肉容器は、バターナイフ等の取り出し用具を収納する機能を必要とする容器の分野における用途展開をさらに広い領域で図ることができる。
【符号の説明】
【００３２】
１０  ：  容器本体
１１  ：  開口端
１１Ａ：  長辺側側壁
１１Ｂ：  短辺側側壁
１２  ：  容器側フランジ
１８  ：  摘み部
２０  ：  蓋体
２１  ：  蓋側フランジ
２２  ：  頂壁凹部
２２ａ：  内壁
２３  ：  頂壁凸部
２３ａ：  頂部側壁
２４  ：  嵌合部
２５  ：  載置部
２６  ：  係止凸部
２７  ：  収納部
３０  ：  カバー部
３０ａ：  屈曲嵌合部
３１  ：  カバー右壁
３２  ：  カバー水平部
３３  ：  カバー左壁
３４  ：  カバー端部壁
３５  ：  開放部
３６  ：  接地部
３７  ：  係合部
Ｈ１  ：  第１ヒンジ
Ｈ２  ：  第２ヒンジ
【図１】
2019189326.tif 000003
【図２】
2019189326.tif 000004
【図３】
2019189326.tif 000005
【図４】
2019189326.tif 000006
【図５】
2019189326.tif 000007
【図６】
2019189326.tif 000008
【図７】
2019189326.tif 000009
【図８】
2019189326.tif 000010
【図９】
2019189326.tif 000011
【図１０】
2019189326.tif 000012